(57)【要約】【課題】ユニフォーム過と低コスト化。【解決手段】胴廻りの拡幅調整が可能であるジャケット本体に、狭域自警活動主体名称を表示するカード（３４）が装着されている。ジャケット本体には、カード（３４）を着脱自在に収納するカード収納部位（２８）が形成されている。狭域自警活動主体を表す名称は、広域活動範囲に含まれる活動を行うボランティア活動団体であり、カードの差し替えにより、当該ジャケットを広範囲に低コストで共通化しユニフォーム化することができ、ボランティア活動を促進して、小犯罪の発生率を低減することができ、自警活動の促進に資することができる。【選択図】          図２
0003108500.tif 000002
【実用新案登録請求の範囲】
【請求項１】
胴廻りの拡幅調整が可能であるジャケット本体と、
狭域自警活動主体名称を表示するカード（３４）とを具え、
前記ジャケット本体は、前記カード（３４）を着脱自在に収納するカード収納部位（２８）を備える
自警用ジャケット。
【請求項２】
前記狭域自警活動主体名称は、上位組織の活動範囲より狭い活動範囲で自警的に活動する狭域組織であり、前記狭域組織は、自治会、町内会、商店会、保育園、小学校を要素とする集合から選択される１つの要素である
請求項１の自警用ジャケット。
【請求項３】
前記カード収納部位（２８）は、着衣時に概水平方向に延びる略長方形状の透明フィルムで形成され、前記透明フィルムの上縁（２９）と下縁（３２）と２つの側縁のうちの１つ（３１）は前記ジャケット本体に結合して閉じられ、前記２つの側縁のうちの他の１つ（３３）は前記カード（３４）を着脱自在に挿入することができるように開放されている
請求項１の自警用ジャケット。
【請求項４】
狭域自警活動主体名称は、上位組織の活動範囲より狭い活動範囲で自警的に活動する狭域組織であり、前記狭域組織は、自治会、町内会、商店会、保育園、小学校を要素とする集合から選択される１つの要素であり、
前記ジャケット本体は、前記カード収納部位（２８）の上方側又は下方側に近接して配置される表示部位（２６）を更に備え、
前記表示部位（２６）は前記上位組織の名称を表示し、前記上位組織は、防犯協会、警察署を要素とする集合から選択される１要素である
請求項１の自警用ジャケット。
【請求項５】
前記表示部位（２６）の基底面は光反射性材料で形成されている
請求項４の自警用ジャケット。
【請求項６】
前記光反射性材料は光再帰性を有する
請求項５の自警用ジャケット。
【請求項７】
前記表示部位（２６）には自警目的（２７）が表示されている
請求項４の自警用ジャケット。
【請求項８】
前記狭域自警活動主体名称と前記上位組織の名称は、ともに、着衣時に前記概水平方向に横書きされる
請求項４の自警用ジャケット。
【請求項９】
前記ジャケット本体は、
背面部位（１）と、
前記背面部位（１）に結合する左側前面部位（２）と、
前記背面部位（１）に結合する右側前面部位（３）とを備え、
前記カード収納部位（２８）は前記背面部位（１）に装着されている
請求項１の自警用ジャケット。
【請求項１０】
前記左側前面部位（２）は、
左腕通し部位（４）と、
前記左腕通し部位（４）に下方側に結合する左側拡幅部位（５）とを具え、
前記右側前面部位（３）は、
右腕通し部位（６）と、
前記右腕側通し部位（６）に下方側に結合する右側拡幅部位（７）と、
前記左側拡幅部位（５）と前記右側拡幅部位（７）の対向縁どうしは上下方向に延びるチャック（１６）により結合し、前記チャック（１６）の開放距離の自在の調整により前記左側拡幅部位（５）と前記右側拡幅部位（７）の拡幅の程度が調整されて、前記胴廻りの拡幅が調整され、
左腕通し部位（４）と右腕通し部位（６）との間には、着衣者の首の前面側が見える隙間（１３）が開けられている
請求項９の自警用ジャケット。
【請求項１１】
前記左側拡幅部位（５）は左側サイズ調整帯（２４）を備え、
前記右側拡幅部位（７）は右側サイズ調整帯（２５）を備え、
前記左側サイズ調整帯（２４）と前記右側サイズ調整帯（２５）は、それぞれに上下方向に並んで２条に形成されている
請求項１０の自警用ジャケット。
【請求項１２】
前記左腕通し部位（４）は左上側光反射帯（１９）を備え、
前記右腕通し部位（６）は右上側光反射帯（２１）を備えている
請求項１１の自警用ジャケット。
【請求項１３】
前記左上側光反射帯（１９）はプリズム反射テープとして形成され、
前記右上側光反射帯（２１）はプリズム反射テープとして形成されている
請求項１２の自警用ジャケット。
【請求項１４】
前記左側拡幅部位（５）は左下側光反射帯（２２）を備え、
前記右側拡幅部位（７）は右下側光反射帯（２３）を備えている
請求項１３の自警用ジャケット。
【請求項１５】
前記左下側光反射帯（２２）はプリズム反射テープとして形成され、
前記右下側光反射帯（２３）はプリズム反射テープとして形成されている
請求項１４の自警用ジャケット。
【考案の詳細な説明】
【技術分野】
【０００１】
本考案は、自警用ジャケットに関し、特に、地域性を明確にする自警用ジャケットに関する。
【背景技術】
【０００２】
小さい犯罪を数多く防止することは大きい犯罪の防止をくい止める、いわれる経験則が存在する。そのような経験則として、「嘘は泥棒の始まり」が知られ、「窓ガラスを割る小さい犯罪の数をパトロールにより減少させることにより凶悪犯罪の数が減少した。」とするニューヨークからの報道がある。犯罪が多様化し多発化する昨今、警察の犯罪取締りのパワー（キャパシティー）には限界があり、未然防止のために多くのパワーを投入することができない現状である。
【０００３】
ボランティア活動は、日本でも欧米並みに促進されつつある。自警的にパトロールする地域単位の数が増加している。市、区のような比較的に広域である単位の自警活動は、連合自治会、単位自治会のようなより狭域である単位の自警活動に移行しつつある。モデル地区、風紀地区のような市町村により指定される地域でこのような活動が奨励されている。極めて小さい犯罪の未然の防止は、その重要性が気づかれつつある。特殊な場合を除き、自治会（町内会）には自治権はなく、当然に警察権はない。しかし、狭域の自警的パトロールの重要性が強く認識され、地域の警察の協力を受けてその活動は着実に評価され始めている。
【０００４】
自警活動にとって重要である要素の一つに着衣の問題がある。その自警性を一般第３者に周知徹底させるために特別に意匠化されたジャケット、チョッキ、ベストと称される自警用上着（自警ジャケット）をガードマンが着用することが慣わしになっている。自警ジャケットには、防弾性のような防御性は要求されずむしろ否定される。自警ジャケットには、特許文献１、特許文献２に示されるように、黄色蛍光反射性による目立顕著性、行動の俊敏さのための軽装性、季節に対応するためのサイズの自在性、活動単位を明確にするための表示性のような特性が要求される。懐中電灯のような軽微な装備を装着することができるポケットが設けられている自警用ジャケットも知られている。自警用ジャケットはできる限り統一的にデザインされることが望まれる。広域自警から狭域自警に移行して行く際に、既述の特性を有し且つ統一されたデザインでありながら、その地域性を顕著に表現することが求められる。
【０００５】
統一されながら地域性の表現が明白であり、且つ、コストが低いことが求められる。
【０００６】
【特許文献１】登録実用新案第３０８４５０９号
【特許文献２】特開２００１−８９９０８号
【考案の開示】
【考案が解決しようとする課題】
【０００７】
本考案の課題は、統一されながら地域性の表現が明白であり、且つ、コストが低い自警用ジャケットを提供することにある。ユニフォーム化の中で個別化を行うことにより、コストの低減が実現される。
【課題を解決するための手段】
【０００８】
本考案による自警用ジャケットは、胴廻りの拡幅調整が可能であるジャケット本体に、狭域自警活動主体名称を表示するカード（３４）が装着されている。ジャケット本体には、カード（３４）を着脱自在に収納するカード収納部位（２８）が形成されている。狭域自警活動主体を表す名称は、広域活動範囲に含まれる活動を行うボランティア活動団体であり、カードの差し替えにより、当該ジャケットを広範囲に低コストで共通化しユニフォーム化することができ、ボランティア活動を促進して、小犯罪の発生率を低減することができる。
【０００９】
狭域自警活動主体名称は、上位組織の活動範囲より狭い活動範囲で自警的に活動する狭域組織である。その狭域組織は、自治会、町内会、商店会、保育園、小学校のような警察権がない任意団体として適正に例示される。
【００１０】
カード収納部位（２８）は、着衣時に概水平方向に延びる略長方形状の透明フィルムで形成される。透明フィルムの上縁（２９）と下縁（３２）と２つの側縁のうちの１つ（３１）はジャケット本体に結合して閉じられ、２つの側縁のうちの他の１つ（３３）はカード（３４）を着脱自在に挿入することができるように開放されている。概水平方向の着脱操作は簡便である。カード収納部位（２８）の上方側又は下方側に近接して配置される表示部位（２６）が更に追加される。表示部位（２６）は上位組織の名称を表示する。表示部位（２６）に自警目的（２７）が表示されることが効果的である。上位組織は、防犯協会、警察署が適正に例示される。狭域自警活動主体名称と上位組織の名称は、着衣時にともに前記概水平方向に鉛直方向に並んで横書きされるので、両組織の関係が理解されやすい。警察権がない任意団体の活動が警察のような権限がある上位組織により権威づけられていることを示すことは、ボランティア活動の促進にとって重要である。表示部位（２６）の光反射性特に光再帰性は、自警目的を明示する効果がある。
【００１１】
ジャケット本体は、より具体的には、背面部位（１）と、背面部位（１）に結合する左側前面部位（２）と、背面部位（１）に結合する右側前面部位（３）の一体物として形成されている。カード収納部位（２８）は背面部位（１）に装着される。左側拡幅部位（５）には左側サイズ調整帯（２４）が形成されている。左側サイズ調整帯（２４）には背面部位（１）まで概水平方向に延びている。右側拡幅部位（７）には、右側サイズ調整帯（２５）が形成されている。右側サイズ調整帯（２５）は、背面部位（１）まで概水平方向に延びている。
【００１２】
左側サイズ調整帯（２４）は上下方向に並んで２条に形成され、右側サイズ調整帯（２５）は上下方向に並んで２条に形成されていて、調整後の着衣状態が容易に安定する。このような安定性は、背面部位（１）の平面性を保持し、カード収納部位（２８）の中のカードに記載されている表示の見やすさを保持する。
【００１３】
左側前面部位（２）は、左腕通し部位（４）と、左腕通し部位（４）に下方側に結合する左側拡幅部位（５）との結合として形成されている。右側前面部位（３）は、右腕通し部位（６）と、右腕側通し部位（６）に下方側に結合する右側拡幅部位（７）との結合として形成されている。左側拡幅部位（５）と右側拡幅部位（７）の対向縁どうしは上下方向に延びるチャック（１６）により結合し、チャック（１６）の開放距離の自在の調整により左側拡幅部位（５）と右側拡幅部位（７）の拡幅の程度が調整される。左腕通し部位（４）と右腕通し部位（６）との間には、着衣者の首の前面側が見える隙間（１３）が開けられている。このようなジャケット構造では、表示部位（２６）とカード収納部位（２８）は、背面側に装着されることが好ましい。チャックによる左右側の結合度合いと左模擬側サイズ調整帯（２４，２５）の締付け度合いにより、背面部位平面性を安定化することができる。
【００１４】
左腕通し部位（４）に左上側光反射帯（１９）が形成され、右腕通し部位（６）に右上側光反射帯（２１）が形成されることが効果的である。左上側光反射帯（１９）がプリズム反射テープとして形成され、右上側光反射帯（２１）がプリズム反射テープとして形成されることは、暗闇の中の少人数団体の行動の互いのまとまりを明確にする少人数自警で更に効果的である。左側拡幅部位（５）に左下側光反射帯（２２）が形成され、右側拡幅部位（７）に右下側光反射帯（２３）が形成されることは、更に効果的である。
【考案の効果】
【００１５】
本発明による考案は、着衣の統一とコストの低減とを実現し、広域性と狭域性の統一が実現し、自警活動が促進される。
【考案を実施するための最良の形態】
【００１６】
本考案による自警用ジャケットの実施の最良の形態は、図に対応して、詳細に記述される。本考案の自警用ジャケット１０は、背面部位１と左側前面部位２と右側前面部位３の結合である単一生地として形成されている。左側前面部位２は、左腕通し部位４と左側拡幅部位５の上下方向連結生地として形成されている。右側前面部位３は、右腕通し部位６と右側拡幅部位７の上下方向連結生地として形成されている。左腕通し部位４の左側端縁と背面部位１とにより左側腕通し穴８が形成されている。右腕通し部位６の右側端縁と背面部位１の右側端縁とにより右側腕通し穴９が形成されている。自警用ジャケット１０の一次材料として樹脂、木綿、その他の材料が用いられ、自警用ジャケット１０の二次材料としてシート、織布、その他の材料が用いられ得る。
【００１７】
左腕通し部位４の上側部位は背面部位１の左側上方部位に回り込んで連続し、右腕通し部位６の上側部位は背面部位１の右側上方部位に回り込んで連続している。左腕通し部位４と右腕通し部位６には襟はなく、左腕通し部位４の右側端縁１１と右腕通し部位６の左側端縁１２との間には、着衣者の首の前面側が見える隙間１３が形成されている。隙間１３は、下方側に狭幅化されて逆三角形状に形状化されている。このような形状は、自警員の品位を安定的に第３者に見せるために形状化され、且つ、後述される拡幅調整を容易にしている。通常身につける上着の一部は、隙間１３を通して見える。左側拡幅部位５の右側端縁１４と右側拡幅部位７の左側端縁１５とは、開閉自在チャックのような連結器具１６により結合される。そのような結合状態で、左側拡幅部位５と右側拡幅部位７と背面部位１の下方部位とは、１つの環を形成している。連結器具１６の開閉用上下運動器具１７は、着衣状態で下限部位１８より下方に移動することはない。
【００１８】
左腕通し部位４の上下方向中央領域で左上側光反射帯１９は、縫合、貼付のような結合手段により左腕通し部位４に固着的に結合している。右腕通し部位６の上下方向中央領域で右上側光反射帯２１は、縫合、貼付のような結合手段により固着的に右腕通し部位６に結合している。左上側光反射帯１９と右上側光反射帯２１は、同一水平高さ領域に配置されている。左上側光反射帯１９と右上側光反射帯２１はそれぞれに、プリズム反射（光再帰性）テープとして形成されることが望ましい。プリズム反射テープは、多数の微小プリズムがテープ状基体に固着されている反射板である。そのプリズム反射テープは、特には、プリズムの複数の反射面の間の角度の規定により、左上側光反射帯１９の任意の位置に入射する光線は入射方向と逆方向に反射する光学物性を有している。一人の自警員の身体に向けて他の自警員が懐中電灯のビーム光（例示：円錐ビーム）を向ける場合に、そのビーム光はビーム発射の自警員の目に戻る。多数の自警員は、互いの存在位置を確認しながら自警団として行動することができる。
【００１９】
左側拡幅部位５の上下方向中央領域で左下側光反射帯２２は、縫合、貼付のような結合手段により左側拡幅部位５に固着的に結合している。右側拡幅部位７の上下方向中央領域で右下側光反射帯２３は、縫合、貼付のような結合手段により固着的に右側拡幅部位７に結合している。左下側光反射帯２２と右下側光反射帯２３は、同一水平高さ領域に配置されている。左下側光反射帯２２と右下側光反射帯２３はそれぞれに、プリズム反射テープとして形成されることが望ましい。
【００２０】
左側サイズ調整帯２４は、図１と図２に示されるように、左側拡幅部位５の最大拡幅部位である下方部位の左側領域から背面部位１の最大拡幅部位である下方部位の左側領域に回り込んで左側拡幅部位５に結合している。左側サイズ調整帯２４の裏面側は、左側拡幅部位５の表側に着脱自在に結合する結合性を有している。右側サイズ調整帯２５は、右側拡幅部位７の最大拡幅部位である下方部位の右側領域から背面部位１の最大拡幅部位である下方部位の右側領域に回り込んで右側拡幅部位７に結合している。右側サイズ調整帯２５の裏面側は、右側拡幅部位７の表側に着脱自在に結合する結合性を有している。それらの結合位置を自在に変更することにより、左側拡幅部位５と右側拡幅部位７の拡幅度合いを調整することができる。左側サイズ調整帯２４の前面側の右側端を右側に移動させ、右側サイズ調整帯２５の前面側の左側端を左側に移動させることにより、その拡幅度合いを縮小させることができる。左側サイズ調整帯２４の背面側の右側端を右側に移動させ、右側サイズ調整帯２５の背面側の左側端を左側に移動させることにより、その拡幅度合いを縮小させることができる。左側サイズ調整帯２４の両端のいずれかは左側拡幅部位５又は背面部位１に固着され、且つ、右側サイズ調整帯２５の両端のいずれかは右側拡幅部位７又は背面部位１に固着されていることが左側サイズ調整帯２４と右側サイズ調整帯２５の脱落を防止することができる点で好ましい。
【００２１】
図２に示されるように、背面部位１の上方部位である狭幅部位に他の表示を行うための背面側光反射帯（表示部位）２６が背面部位１に固着されている。背面側光反射帯２６は、既述の光学物性を有するプリズム反射テープとして形成されることが望ましい。背面側光反射帯２６の基体面には、自警の目的を表示する自警目的表示（例示：防犯パトロール）２７が印刷又は文字貼付により形成されている。背面側光反射帯２６の基体面には、更に、自警協力機関表示（例示：ＯＯ防犯協会・ＯＯ警察署）が形成されている。背面部位１に、カード収納部位が装着されている。カード収納部位２８は、背面部位１の上方部位の狭幅部位で背面側光反射帯２６より下方側に（又は情報側に）、狭域地区単位を表示するカードを差し込むことができるように、背面部位１に固着されて配置されている。
【００２２】
図３は、カード収納部位２８の具体的形態を示している。カード収納部位２８は、差込み式ケースとして形成されることが望ましく、長方形状の透明薄板の３つの端縁部位２９，３１，３２が背面部位１に固着されていて、１つの端縁部位３３は開放されている。その開放端縁３３は、背面側から見て右側であることが望ましい。左側が開放されている場合には、右利きの人にはカードの差し込みが困難であり、下側が開放されている場合には、差し込まれたカードが脱落し、上側が開放されている場合には、左右に長いカードがカード収納部位２８の中で斜めに傾き品位を落とし、脱落の恐れがある。そのカード３４には、ＯＯ警察署の管区の中の狭い区域である境域地区単位の狭域地区単位名（例示：ＯＯ区ＯＯ町自警隊、ＯＯ保育園ママさんパトロール）３５が印刷されて書かれている。自警目的表示２７は広域名称が固定的に書かれより多くの自警用ジャケット１０に共通しているが、狭域地区単位名３５が共通に表示する自警用ジャケット１０の総数は、広域に使用される自警用ジャケット１０の全総数より顕著に少ない。カード３４を交換可能に個別化することにより、狭域で使用される自警用ジャケット１０の製作コストを低減することができ、隣り合う町どうしの間で互いに貸与しあうことにより自警用ジャケット１０の製造総数を低減することができる。
【００２３】
カード３４は、硬質のエンジニアリングプラスティクスで製作され、その表面にはホワイトボードの書込み消去自在の書き込み面と同様の表示膜を有していることが望ましい。このような場合には、ホワイトボード用ペンで、狭域自警隊名を自在に書き込むことができ、又は消去の後に書き込むことができる。デザイン統一（ユニフォーム化）により権限がない自警のシンボル化を促進して防犯効果を相乗的に高くする社会になって、個別表示の自在化により全体のコストが正循環で飛躍的に低減する。
【００２４】
左側サイズ調整帯２４と右側サイズ調整帯２５により胴廻りのサイズの調整を可能にすることにより、季節変動にともなう薄着と厚着に自在に対応して、通常衣服の上から自警用ジャケット１０を着衣することができるので、同一サイズの自警用ジャケット１０の量産効果が発揮される。左上側光反射帯１９は拡幅調整がほとんどない左腕通し部位４と右腕通し部位６に配置されているので、左上側光反射帯１９による警戒感の印象強度が一定化され、シンボル化に資することができる。開閉用上下運動器具１７の上下は、自警用ジャケット１０の胴廻りの拡幅調整幅を拡大することができる。開閉用上下運動器具１７を降下させることにより、左側拡幅部位５と右側拡幅部位７とで形成される自警用ジャケット１０の下方部位である筒状部位の拡幅幅を増大させることができる。
【図面の簡単な説明】
【００２５】
【図１】図１は、本考案による自警用ジャケットの実施の好ましい形態を示す正面図である。
【図２】図２は、図１の背面図である。
【図３】図３は、カードの形態を示す正面図である。
【符号の説明】
【００２６】
１…背面部位
２…左側前面部位
３…右側前面部位
４…左腕通し部位
５…左側拡幅部位
６…右腕通し部位
７…右側拡幅部位
１６…チャック
１９…左上側光反射帯
２１…右上側光反射帯
２２…左下側光反射帯
２３…右下側光反射帯
２４…左側サイズ調整帯
２５…右側サイズ調整帯
２６…表示部位
２８…カード収納部位
２９…上縁
３１…１つ（側縁）
３２…下縁
３３…他の１つ（他の側縁）
３４…カード
【図１】
0003108500.tif 000003
【図２】
0003108500.tif 000004
【図３】
0003108500.tif 000005